(57)【要約】【課題】  ステレオマイクを搭載した携帯電話機等の通信端末装置を用いて通話を行う場合、携帯電話機等の通信端末装置はあらかじめ決められたマイクロホンを用いて送話を行う。その為、例えば左のマイクロホンを集音マイクとした場合に、使用者が左耳にあてて使用すると、左のマイクロホンが口の陰に隠れてしまう虞がある。そのため音声を明瞭に補足できないという課題があった。【解決手段】  上記課題を解決するために本発明は、複数のマイクロホンを備える通信端末装置であって、通信端末装置の傾きを検知する検知手段と、検知手段によって検知された通信端末装置の傾きに基づいて、複数のマイクロホンの中から、いずれか１つのマイクロホンで集音された音声に基づく音声信号を選択する選択手段とを備える構成により、上記課題を解決する。【選択図】  図２
2008227775.tif 000002
【特許請求の範囲】
【請求項１】
複数のマイクロホンと、
通信端末装置の傾きを検知する検知手段と、
上記検知手段によって検知された通信端末装置の傾きに基づいて、上記複数のマイクロホンの中から、いずれか１つのマイクロホンで集音された音声に基づく音声信号を選択する選択手段と、
を備えることを特徴とする通信端末装置。
【請求項２】
上記検知手段は、上記通信端末装置にかかる加速度を検知することにより、通信端末装置の傾きを検知することを特徴とする請求項１記載の通信端末装置。  
【請求項３】
撮像装置をさらに備え、
上記検知手段は、上記撮像装置が撮像した動画像を解析することにより、通信端末装置の傾きを検知することを特徴とする請求項１記載の通信端末装置。
【請求項４】
上記検知手段は、上記複数のマイクロホンで集音された各音声信号を比較することで、通信端末装置の傾きを検知することを特徴とする請求項１記載の通信端末装置。
【発明の詳細な説明】
【技術分野】
【０００１】
本発明は、ステレオマイクを搭載した通信端末装置に関する。
【背景技術】
【０００２】
近年、例えば携帯電話機等の通信端末装置として、ビデオ録画機能やボイスレコーダ機能などの録音機能が搭載されているものがある。録音機能において、従来はモノラルで録音するものが多かったが、録音の高音質化や再生時の臨場感の向上のため、ステレオで録音する機能を有しているものもある。ステレオで録音する場合、マイクロホンは装置本体の左右の２ヶ所に備えつけられている。
【０００３】
但し、ステレオで録音する機能を有している場合でも、例えば会議やインタビューなどの録音に用いる場合は、高音質での録音は必要ないが、長時間の録音を行いたいという要望もあるため、ステレオで録音する機能を有する一方で、モノラルで録音する機能も必要とされている。
【０００４】
その為、マイクロホンを２つ備えて、ステレオ録音が可能な構成となっていても、集音するマイクロホンをあらかじめ１つに設定することにより、モノラルの録音を可能にしていた。
【特許文献１】特開２００６−３３６１５
【発明の開示】
【発明が解決しようとする課題】
【０００５】
携帯電話機等の通信端末装置においては、２つのマイクロホンを備え、ステレオ録音機能を有している場合でも、音声を送話するときはモノラルとして処理されるため、ステレオで集音する必要はなく、モノラルで集音すればよい。
【０００６】
通常、２つのマイクロホンは、通信端末装置の左右離れた位置に設けられるが、特許文献１のようにモノラルで集音するマイクロホンを１つあらかじめ設定すると、携帯電話機等の通信端末装置を左右どちらかの耳にあてるかで、集音がしにくくなる虞がある。例えば、右のマイクロホンを集音マイクとした場合に右耳にあてて使用すると、右のマイクロホンが口の陰に隠れてしまう虞がある。そのため、音声を明瞭に補足できないという課題があった。
【課題を解決するための手段】
【０００７】
上記課題を解決するために本発明は、複数のマイクロホンを備える通信端末装置であって、通信端末装置の傾きを検知する検知手段と、検知手段によって検知された通信端末装置の傾きに基づいて、複数のマイクロホンの中から、いずれか１つのマイクロホンで集音された音声に基づく音声信号を選択する選択手段とを備える。
【発明の効果】
【０００８】
通信端末装置の使用者が通話を行う場合には、使用者の右耳にあてて通話を行うときと、使用者の左耳にあてて通話を行うときとでは通信端末装置の傾きが逆になる。すなわち、通信端末装置は、使用者の右側の耳にあてがわれている場合は右回りに、左側の耳にあてがわれている場合は左回りに傾く。従って、検知手段がこの傾きを検知する事で、通信端末装置が使用者の左右どちらかの耳にあてがわれているかを推測することができる。
【０００９】
選択手段は、検知手段によって検知された通信端末装置の傾きに基づいて送話に使用するマイクロホンを選択する。そのため、通信端末装置が使用者の右側の耳にあてがわれている場合と、使用者の左側の耳にあてがわれている場合とで、声を明瞭に補足できる位置にあるマイクロホンの選択を行うことができる。
【００１０】
従って、通信端末装置をあてがう耳によって、使用者の音声の集音が行いにくくなることを回避することが可能となる。
【発明を実施するための最良の形態】
【００１１】
本発明の実施形態について図１〜図９に基づいて説明すれば以下の通りである。
【００１２】
〔実施の形態１〕
実施の形態１では、傾きを検知する検知手段として、加速度センサを用いた場合の実施の形態を説明する。
【００１３】
図１は、本発明の実施形態である携帯電話機１の外観の例を示している。携帯電話機１は、上部筐体２と下部筐体４とがヒンジ部分３で接続されている折り畳み式携帯電話機である。図１（ａ）は、携帯電話機１の使用状態であるオープンスタイルを正面から見た図である。図１（ｂ）は、携帯電話機１のオープンスタイルを背面から見た図である。
【００１４】
図１に示すように、上部筐体２はディスプレイ５とスピーカ６とカメラ装置９とを備えている。下部筐体４はステレオマイク８と操作部７とを備えている。ステレオマイク８は左側のマイクロホン８ａと右側のマイクロホン８ｂとで構成されている。操作部７は、テンキー、方向キー、決定キーなどのキー群で構成されている。
【００１５】
図２は本実施の形態１における携帯電話機１の構成図を示している。携帯電話機１は、操作部７と表示部５と制御部１０と通信部１２と記憶部１３と音声制御部１５と加速度センサ１４とで構成されている。
【００１６】
通信部１２はアンテナ１１を含んで構成される。通信部１２はアンテナ１１から受け取った受信信号を受話音声信号及び受信データ信号に復調する。次に通信部１２は、復調した受話音声信号を音声制御部１５に、そして受信データ信号を制御部１０に出力する。また通信部１２は、音声制御部１５でＡ／Ｄ変換された送話音声信号と制御部１０から与えられる送信データ信号とを変調したのちに、アンテナ１１から出力する機能を有する。
【００１７】
操作部７はユーザの操作を受け付け、受け付けた操作内容を制御部１０に伝達する機能を有する。操作部７は、テンキー、オフフックキー、オンフックキー、方向キーなどのキー群を含む。
【００１８】
音声制御部１５は、通信部１２から出力された受話音声信号をＤ／Ａ変換してスピーカに出力する機能と、マイクロホン８から取得した送話音声信号をＡ／Ｄ変換した信号を通信部１２に出力する機能とを有する。
【００１９】
表示部５は、制御部１０の指示による画像をディスプレイに表示する機能を有する。具体的には、表示部５は待ち受け画面、メールの文章、動画像などを表示する。表示部５はＬＣＤ（Liquid Crystal Display）などによって実現される。
【００２０】
記憶部１３は、携帯電話機の動作上必要な各種データやプログラムなどを記憶する機能を有する。また、記憶部１３は音楽データや画像データなどを記憶する機能も有する。記憶部１３はＲＯＭ（Read Only Memory）とＲＡＭ（Random Access Memory）とを含んで構成される。記憶部１３は小型ハードディスクや不揮発性メモリなどを含んでいてもよい。
【００２１】
加速度センサ１４は、制御部１０からの指示により携帯電話機１の傾きを検知する。携帯電話機１の傾きを検知するとは、加速度センサが図３に示すように携帯電話機１のオープンスタイルを正面から見たときに右回り又は左回りのどちらに傾いているかを検知することを指す。
【００２２】
加速度センサ１４は、物体にかかる加速度を測定する機能を有している。重力による重力加速度は、常に鉛直下向きに一定である。加速度センサ１４の感応軸が鉛直方向から傾いている場合に、加速度センサ１４の感応軸方向に対する重力加速度は、鉛直方向からの傾いている角度に応じて変化する。その為、加速度センサ１４は、重力加速度の変化分を検知することにより、物体が鉛直方向に対してどれだけ傾いているかを検知することができる。
【００２３】
実施の形態１において加速度センサ１４は、加速度センサ１４が持つ鉛直方向に対する傾きを検知する機能を利用することにより、携帯電話機１の傾きが右回り又は左回りのどちらに傾いているかを検知する。加速度センサの原理には、圧電式や半導体ピエゾ式、静電容量式によるものがあり、また、加速度センサの感応軸数は２軸、３軸のいずれでもよい。
【００２４】
制御部１０は、携帯電話機１の各部を制御する機能を有する。また、本発明においては、制御部１０は選択部１６を備えている。
【００２５】
選択部１６は、加速度センサ１４によって検知された傾きに基づいて、マイクロホン８ａとマイクロホン８ｂとで集音された音声に基づく音声信号の中から、送話に使用する音声信号を選択する。選択部１６は、携帯電話機１の傾きが右回りの場合は８ａで集音された音声に基づく音声信号を選択し、傾きが左回りの場合は８ｂで集音された音声に基づく音声信号を選択する。
【００２６】
次に、本実施の形態における携帯電話機１の処理動作を図４に示すフローチャートを用いて説明する。
【００２７】
制御部１０は操作部７を介して、オフフックがあるかないかを検出している（Ｓ１０）。制御部１０はオフフックを検出した場合は、着信に基づくオフフックか、もしくは発信に基づくオフフックかを検出する（Ｓ１１）。
【００２８】
制御部１０は、検出したオフフックが携帯電話機１への着信に基づくオフフックの場合は、オフフックを検知してから１秒後（Ｓ１２）に加速度センサ１４に対して、携帯電話機１の傾きが右回り又は左回りのどちらに傾いているかを検知させる（Ｓ１４）。尚、実施の形態１では、オフフックを検知してから１秒後に制御部１０が加速度センサ１４に検知させる場合を記載するが、必ずしも１秒に限ったものではなく、何秒でもよい。
【００２９】
制御部１０は、検出したオフフックが携帯電話機１からの発信に基づくオフフックの場合は、相手側からの応答を受け取ると（Ｓ１３）、加速度センサ１４に対して携帯電話機１の傾きが右回り又は左回りのどちらに傾いているかを検知させる（Ｓ１４）。
【００３０】
加速度センサ１４は制御部１０から指示があると、携帯電話機１の傾きを検知し、検知した結果を出力してもよい。また、加速度センサ１４は制御部１０からの指示に関係なく常に携帯電話機１０の傾きを検知しており、制御部１０からの指示があった場合に携帯電話機１の傾きの検知結果を出力してもよい。
【００３１】
加速度センサ１４が検知した携帯電話機１の傾きに基づいて、制御部１０は音声制御部１５に対して、右回りの場合はマイクロホン８ａで集音された音声に基づく音声信号を使用させることで送話を行い（Ｓ１５）、左回りの場合はマイクロホン８ｂで集音された音声に基づく音声信号を使用させることで送話を行う（Ｓ１６）。
【００３２】
以上の処理動作により、使用者が左右どちらの耳にあてて通話しているかの判断が可能となる。そして、使用者が左右どちらの耳にあてて通話しているかの判断結果に基づいて、送話のときに使用するマイクロホンを選択する。その為、携帯電話機１は、使用者の口の陰に隠れているマイクロホンを送話のときに使用することがなくなるので、送話の音声を明瞭に補足することができる。
【００３３】
〔実施の形態２〕
上記実施の形態１では傾きを検知する検知手段として加速度センサを使用する実施の形態を示した。本実施の形態においては、加速度センサを用いるのではなく、カメラ装置を用いた場合の実施の形態を説明する。
【００３４】
本実施の形態における携帯電話機１の外観は図１と同一である。携帯電話１の構成は図５になる。実施の形態１と異なる構成についてのみ説明する。
【００３５】
カメラ装置９は、ＣＣＤカメラ（Charge Coupled Device カメラ）、ＣＭＯＳカメラ（Complementary Metal Oxide Semiconductor  カメラ）などであり、画像や動画像などを撮像する機能を有する。
【００３６】
制御部１０は選択部１６と画像解析部２０を備えている。
【００３７】
画像解析部２０は、カメラ装置９が撮像した動画像を解析することで、携帯電話機１の傾きを検知する機能を有する。カメラ装置が撮像した動画像の中から、画像認識により特徴的な被写体の切り出しを行うことで、傾き判別の為の被写体を選択する。画像解析部は、カメラ装置９によって選択された被写体が、選択された時点の位置と比較して、どの方向に移動したかを判断することにより右回りか左回りかを検知する。
【００３８】
具体的には図６のように、撮影開始時の状態Ｘにおいて、カメラ装置９が選択した被写体を「Ａ」とした場合に、被写体「Ａ」が状態Ｙの方向に移動した場合を右回りと検知する。被写体「Ａ」が状態Ｚの方向に移動した場合は左回りと検知する。画像を連続して撮像し、連続して撮像した画像の被写体に対して同様の解析することにより傾きを検知してもよい。ただし、カメラ装置９で撮像された動画像が鏡像処理されて表示部５に表示されている場合は、被写体「Ａ」が状態Ｙの方向に移動した場合を左回りと検知し被写体「Ａ」が状態Ｚの方向に移動した場合は右回りと検知する。
【００３９】
次に、本実施の形態における携帯電話機１の動作を図６に示すフローチャートを用いて説明する。
【００４０】
制御部１０は操作部７を介して、オフフックがあるかないかを検出している（Ｓ２０）。制御部１０は、オフフックを検知すると、カメラ装置９に対して動画像の撮像させる（Ｓ２１）。
【００４１】
カメラ装置９が撮像している動画像に対して、画像解析部２０が解析を行い（Ｓ２２）、携帯電話機１が右回り又は左回りのどちらに傾いているかを検出する（Ｓ２３）。
【００４２】
画像解析部２０が解析した携帯電話機１の傾きの結果に基づいて制御部１０は、音声制御部１５に対して、右回りの場合はマイクロホン８ａで集音された音声に基づく音声信号を使用させることで送話を行い（Ｓ２４）、左回りの場合はマイクロホン８ｂで集音された音声に基づく音声信号を使用させることで送話を行う（Ｓ２５）。
【００４３】
送話の開始が行われると、制御部１０はカメラ装置９に対して動画像の撮像を終了させる（Ｓ２６）。
【００４４】
以上が実施の形態２に基づく動作である。以上の処理動作により、携帯電話機１は実施の形態１と同じ効果を得ることができる。
【００４５】
〔実施の形態３〕
傾きを検知する検知手段として、実施の形態１では加速度センサを使用する実施の形態を示し、実施の形態２ではカメラ装置を使用する実施の形態を示した。実施の形態３においては、傾きを検知する手段として、音声信号を比較する場合の実施の形態を説明する。
【００４６】
実施の形態３における携帯電話１の構成は図７である。実施の形態１と実施の形態２との異なる構成についてのみ説明する。
【００４７】
実施の形態３における制御部１０は選択部１６と音声比較部３０とを備えている。
音声比較部３０は、ステレオマイクロホン８で集音した音声に基づく送話音声信号を比較することにより、携帯電話機１の傾きを検知する。具体的には、音声比較部３０は、マイクロホン８ａとマイクロホン８ｂとを用いて集音した音声に基づく送話音声信号の信号強度を比較する。音声比較部３０は、信号強度が高い方を送話音声信号内にノイズが少ないと推定する。
【００４８】
マイクロホン８ｂは、使用者が携帯電話機１を右耳にあてた場合は、携帯電話機１が右回りに傾いているために、使用者の口元の陰に隠れる。そのため、マイクロホン８ａで集音した音声信号はマイクロホン８ｂで集音した音声信号と比較してノイズが少ないと推定できる。逆に、使用者が左耳に携帯電話機１をあてた場合は、マイクロホン８ｂで集音した音声信号の方がノイズは少ないと推定できる。これにより、信号強度を比較することにより、携帯電話機１が右回り、もしくは左回りのどちらに傾いているかを判断することができる。音声比較部３０は、推定結果がマイクロホン８ａの場合は、携帯電話機１は右回りに傾いていると判断し、推定結果がマイクロホン８ｂの場合は、携帯電話機１は左回りに傾いていると判断する。音声信号を比較する手段は他に、音声信号の音圧を比較し、音圧の最大値の高い方を音声信号内にノイズが少ないと推定する方法や、信号対雑音比を比較し、信号対雑音比が高い方を音声信号にノイズが少ないと推定する方法などがある。
【００４９】
次に、本実施の形態における携帯電話機１の動作を図８に示すフローチャートを用いて説明する。
【００５０】
制御部１０は操作部７を介して、オフフックがあるかどうかを検出している（Ｓ３０）。制御部１０はオフフックを検出した場合は、着信に基づくオフフックか、もしくは発信に基づくオフフックかを検出する（Ｓ３１）。
【００５１】
制御部１０は、検出したオフフックが携帯電話機１への着信に基づくオフフックの場合は、オフフックを検知してから１秒後（Ｓ３２）に音声制御部１５に対してマイクロホン８ａとマイクロホン８ｂとを用いて音声を集音するように指示する（Ｓ３４）。
【００５２】
尚、実施の形態３では、オフフックを検知してから１秒後に制御部１０が音声制御部１５に対して指示を行うが、必ずしも１秒に限ったものではなく、何秒でもよい。
【００５３】
制御部１０は、検出したオフフックが携帯電話機１からの発信に基づくオフフックの場合は、相手側からの応答を受け取ると（Ｓ３３）、音声制御部１５に対してマイクロホン８ａとマイクロホン８ｂとを用いて音声を集音するように指示する（Ｓ３４）。
【００５４】
音声比較部３０は、マイクロホン８ａを用いて集音した音声に基づく音声信号の信号強度と、マイクロホン８ｂを用いて集音した音声に基づく送話音声信号の信号強度を比較すること（Ｓ３５）で携帯電話機１が右回り又は左回りのどちらに傾いているかを検知する（Ｓ３６）。
【００５５】
制御部１０は音声制御部１５に対して、携帯電話機１が右回り又は左回りのどちらに傾いているかに基づいて、右回りの場合はマイクロホン８ａで集音された音声に基づく音声信号を使用させることで送話を行い（Ｓ３７）、左回りの場合はマイクロホン８ｂで集音された音声に基づく音声信号を使用させることで送話を行う（Ｓ３８）。
【００５６】
以上が、実施の形態３に基づく携帯電話機１の動作である。以上の処理動作により実施の形態１と同じ効果をえることができる。
【図面の簡単な説明】
【００５７】
【図１】携帯電話機の外観の一例を示した図である。また（ａ）は携帯電話機のオープンスタイルを正面から見た図１（ｂ）は携帯電話機のオープンスタイルを背面から見た図である。
【図２】実施の形態１における携帯電話機の機能構成を示した機能構成図である。
【図３】右回り、左回りの傾きを示した図である。
【図４】実施の形態１における処理動作を示したフローチャートである。
【図５】実施の形態２における携帯電話機の機能構成を示した機能ブロック図である。
【図６】被写体の動きに基づく右回り又は左回りの検知例を示した図である。
【図７】実施の形態２における処理動作を示したフローチャートである。
【図８】実施の形態３における携帯電話機の機能構成を示した機能構成図である。
【図９】実施の形態３における処理動作を示したフローチャートである。
【符号の説明】
【００５８】
１    携帯電話機
２    上部筐体
３    ヒンジ部
４    下部筐体
５    表示部
６    スピーカ
７    操作部
８    マイクロホン
９    カメラ装置
１０  制御部
１１  アンテナ
１２  通信部
１３  記憶部
１４  加速度センサ
１５  音声制御部
１６  選択部
２０  画像解析部
３０  音声比較部
【図２】
2008227775.tif 000003
【図５】
2008227775.tif 000004
【図８】
2008227775.tif 000005
【図１】
2008227775.tif 000006
【図３】
2008227775.tif 000007
【図４】
2008227775.tif 000008
【図６】
2008227775.tif 000009
【図７】
2008227775.tif 000010
【図９】
2008227775.tif 000011